(57)【要約】【課題】比較的大容量な記憶装置から比較的低容量な記録メディアにダビングする際に、高速にダビング処理が行えることができる映像音声記録再生装置を得る。【解決手段】記録用映像音声信号変換手段２は転送制御手段６からの変換指定情報Ｓ６に基づき、ダビング先となる記録メディア５に適したフォーマット及び転送レートになるように、第１のデジタル映像音声信号Ｓ１を変換して第２のデジタル映像音声信号Ｓ２を得る。記録再生手段３は、同一の番組内容の第１のデジタル映像音声信号Ｓ１及び第２のデジタル映像音声信号Ｓ２とを併せて記録する。記録メディア５へのダビングは記録再生手段３内の第２のデジタル映像音声信号Ｓ２をそのまま記録メディア５に転送することにより行われる。【選択図】図１
2008059622.tif 000002
【特許請求の範囲】
【請求項１】
第１のデジタル映像音声信号を取得するデジタル映像音声信号取得手段と、
前記第１のデジタル映像音声信号を指定変換内容で変換して、前記第１のデジタル映像音声信号より情報量が小さい第２のデジタル映像音声信号を出力する記録用映像音声信号変換手段と、
所定の番組における前記第１及び第２のデジタル映像音声信号を併せて記録する映像音声記録手段と、
を備える映像音声信号記録再生装置。
【請求項２】
請求項１記載の映像音声信号記録再生装置であって、
記録メディアを接続可能であり、前記記録メディアとの接続時に前記記録メディアのフォーマットを含む記録関連情報を検出して、前記記録関連情報に基づき前記指定変換内容を前記記録用映像音声信号変換手段に与える変換内容制御手段をさらに備え、
前記映像音声記録手段は、前記第２のデジタル映像音声信号を前記記録メディアに転送可能に前記記録メディアに接続される、
映像音声信号記録再生装置。
【請求項３】
請求項２記載の映像音声信号記録再生装置であって、
指定された編集内容に基づき、所定の番組における前記第１及び第２のデジタル映像音声信号の映像音声記録手段への記録時に、前記編集内容に適合した前記第２のデジタル映像音声信号における編集位置情報を認識して記憶する編集情報記憶手段をさらに備え、
前記映像音声記録手段は、前記第２のデジタル映像音声信号の前記記録メディアへの転送時に前記編集位置情報に基づき前記第２のデジタル映像音声信号を選択的に前記記録メディアに転送する、
映像音声信号記録再生装置。
【請求項４】
請求項３記載の映像音声信号記録再生装置であって、
前記編集情報記憶手段は、外部より入力される編集指示信号に基づき、前記編集内容を認識する、
映像音声信号記録再生装置。
【請求項５】
請求項２ないし請求項４記載のうち、いずれか１項に記載の映像音声信号記録再生装置であって、
前記記録関連情報は前記記録メディアの記録容量及び前記所定の番組の記録時間を含み、
前記指定変換内容は、前記記録メディアの記録容量に前記所定の番組が収まる転送レートを含む、
映像音声信号記録再生装置。
【請求項６】
請求項１ないし請求項５のうち、いずれか１項に記載の映像音声信号記録再生装置であって、
前記映像音声記録手段は、前記所定の番組における前記第１及び第２のデジタル映像音声信号を記録後、前記第１のデジタル映像音声信号を所定時間経過後に消去する機能を有する、
映像音声信号記録再生装置。
【請求項７】
請求項１ないし請求項６のうち、いずれか１項に記載の映像音声信号記録再生装置であって、
前記映像音声記録手段より前記第１あるいは第２のデジタル映像音声信号を受け、前記第１あるいは第２のデジタル映像音声信号を所定の表示装置に表示可能な再生用映像音声信号に変換する再生用映像音声信号変換手段をさらに備える、
映像音声信号記録再生装置。
【発明の詳細な説明】
【技術分野】
【０００１】
この発明は、デジタル放送等より得られるデジタル映像音声信号の映像音声信号記録再生装置に関し、特に映像音声信号の記録方法に関する。
【背景技術】
【０００２】
ここ数年来でＶＴＲ(Video Tape Recorder)に代表されるテープ記録から、ハードディスク（以下、「ＨＤＤ」(Hard Disk Drive)と称す）やＤＶＤ(Digital Versatile Disk)等のディスク記録へ急速に移行されており、ＨＤＤとＤＶＤとを備えたレコーダーや、ＨＤＤ及びＤＶＤに加えてＶＴＲも備えたレコーダーの普及率が高まっている。
【０００３】
例えば、上述したＨＤＤとＤＶＤとを備えたレコーダーの一般的な使用方法としては、内蔵された受信機または外部入力から得られる映像音声信号を最初にＨＤＤへ記録保存し、しかる後、残しておきたい映像音声信号のみをＤＶＤにダビングにより記録保存するというものである。また、近年多く配信されている、地上デジタル放送を始めとするハイビジョン（ＨＤ(High Definition)）画質のコンテンツへのダビング要求が多くなると予想される。 
【０００４】
一方で、ＨＤＤへ記録した番組のオリジナル全体をそのままダビングすることは勿論のこと、オリジナルからユーザーが残したい必要な箇所のみをＤＶＤ等にダビングしたいとの要求や、ＨＤＤに記録した番組を自宅で再生する時間がないユーザー等のために、携帯視聴装置で再生したいとの要求も多くなってきている。
【０００５】
従来技術として、ＨＤＤとＤＶＤとを備えたレコーダー等において、複数チャンネルのすなわち、互いに異なる複数の番組の映像音声信号を同時にＨＤＤ記録する方法を開示した文献として、例えば特許文献１がある。
【０００６】
【特許文献１】特開２００２−３４４８９２公報
【発明の開示】
【発明が解決しようとする課題】
【０００７】
しかしながら、特許文献１は前述したように複数チャンネルの映像音声信号をＨＤＤに記録することに関するものであり、レコーダー内のＨＤＤに記録された映像音声信号を、ＨＤＤ以外の別の記録メディアへダビングすることに考慮した技術とは全く関係がない技術である。
【０００８】
また、ＨＤ画質の映像音声信号の情報量は標準（ＳＤ(Standard Definition)）画質のそれよりも非常に大きく、ＨＤ画質の映像音声信号をやみくもにＨＤＤに保存した場合、保存先のＨＤＤ残量が少なくなるため、ＨＤＤ等の記録装置を有効に活用できないという問題点があった。
【０００９】
装置内のＨＤＤから別の記録メディアにダビングする際、例えばダビング先がＤＶＤなどの場合は、他の記録再生装置との互換性を確保するために、（記録）フォーマットや最大の転送レートなどが規格で決められており、デジタル放送で運用されているフォーマットや最大転送レートとは異なるものになっている。
【００１０】
このようにダビング元とダビング先との間でフォーマット、転送レート等の規格が異なることから、ＨＤＤに記録したデジタル映像音声信号をＤＶＤなどの別のメディアにダビングする場合、ＨＤＤからデジタル映像音声信号を再生しながら、ＤＶＤに適したフォーマット及び転送レートに変換してＤＶＤに記録する必要が生じるため、ダビングするために、ＨＤＤに記録した時間長と同じ時間長を要することになりダビングに時間を要してしまうという問題点があった。
【００１１】
また、ＤＶＤなどにダビングする場合、ＤＶＤの記憶容量は予め決まっている。映像音声信号を記録す場合、必要とする容量は、映像音声信号の記録時間長と転送レートの積によって求めることができる。ＨＤＤに記録した際の転送レートのままでＤＶＤにダビングした場合、記録長が長いとＤＶＤの記憶容量を超えてしまい、１枚のＤＶＤは番組全体を記録できない可能性が出てくるという問題点があった。
【００１２】
また、ＨＤＤに記録した映像音声信号を編集した場合においても、編集後のデジタル映像音声信号をＤＶＤなどのメディアにダビングするとなると、ＨＤＤから編集後のデジタル映像音声信号を再生しながら、ＤＶＤに適したフォーマット及び転送レートに変換してＤＶＤに記録する必要が生じるため、ダビングするために、ＨＤＤに記録した編集後の時間長と同じ時間長を要することとなる。
【００１３】
また、ＨＤＤに映像音声信号を記録し続けると、残量が少なくなり、この環境下で使用するとユーザーが録画予約していた番組が最後まで記録できない事態が発生する。このような時に古い番組やユーザーが記録したが一度も再生されないまま長時間経過した番組などを自動的に消去する機能が考えられるが、消去後にユーザーがその番組を確認したいと場合でも視聴による確認ができないという問題点があった。
【００１４】
この発明は上記問題点を解決するためになされたもので、ＨＤＤ等の比較的大容量な記憶装置からＤＶＤ等の比較的低容量な記録メディアにダビングする際に、高速にダビング処理が行えることができる映像音声記録再生装置を得ることを目的とする。
【課題を解決するための手段】
【００１５】
この発明に係る請求項１記載の映像音声信号記録再生装置は、第１のデジタル映像音声信号を取得するデジタル映像音声信号取得手段と、前記第１のデジタル映像音声信号を指定変換内容で変換して、前記第１のデジタル映像音声信号より情報量が小さい第２のデジタル映像音声信号を出力する記録用映像音声信号変換手段と、所定の番組における前記第１及び第２のデジタル映像音声信号を併せて記録する映像音声記録手段とを備える。
【発明の効果】
【００１６】
この発明における請求項１記載の映像音声信号記録再生装置における映像音声記録手段は、所定の番組を記録するに際し、第１のデジタル映像音声信号に加え、第１のデジタル映像音声信号を指定変換内容で変換して前記第１のデジタル映像音声信号より情報量が小さい第２のデジタル映像音声信号を併せて記録するため、第２のデジタル映像音声信号をＤＶＤ等の他の記録メディアに適した信号に設定することにより、映像音声記録手段内に他の記録メディアに適した第２のデジタル映像音声信号を予め記録させておくことができる。
【発明を実施するための最良の形態】
【００１７】
＜実施の形態１＞
図１は、この発明の実施の形態１である映像音声信号記録再生装置の構成を示すブロック図である。
【００１８】
同図に示すように、デジタル映像音声信号取得手段１は、デジタル放送を受信して得られるデジタル映像音声信号や、アナログ映像音声信号をＭＰＥＧ方式で圧縮エンコード処理しデジタル化したデジタル映像音声信号を、第１のデジタル映像音声信号Ｓ１として取得し、取得した第１のデジタル映像音声信号Ｓ１を記録用映像音声信号変換手段２及び記録再生手段３に出力する。上述したように、デジタル映像音声信号取得手段１は種々の方法で第１のデジタル映像音声信号Ｓ１を取得して記録用映像音声信号変換手段２及び記録再生手段８に出力する。
【００１９】
記録用映像音声信号変換手段２はデジタル映像音声信号取得手段１より第１のデジタル映像音声信号Ｓ１を入力する。そして、記録用映像音声信号変換手段２は、後述する転送制御手段６からの変換指定情報Ｓ６で指定された指定変換内容に基づき、ダビング先となるＤＶＤ等の記録メディア５に適したフォーマット及び転送レートになるように、第１のデジタル映像音声信号Ｓ１を変換して第２のデジタル映像音声信号Ｓ２を得て記録再生手段３に出力する。
【００２０】
（映像音声）記録再生手段３は、デジタル映像音声信号取得手段１から出力される第１のデジタル映像音声信号Ｓ１と、記録用映像音声信号変換手段２から出力される第２のデジタル映像音声信号Ｓ２とを受け、第１のデジタル映像音声信号Ｓ１及び第２のデジタル映像音声信号Ｓ２をそれぞれ記録する。すなわち、記録再生手段３は、同一の番組内容の第１のデジタル映像音声信号Ｓ１及び第２のデジタル映像音声信号Ｓ２とを併せて記録する。この際、第１のデジタル映像音声信号Ｓ１及び第２のデジタル映像音声信号Ｓ２は記録再生手段３内において互いに関連づけて一対で管理される。
【００２１】
なお、記録再生手段３は、ＨＤＤ等の比較的大容量の記憶装置で構成される。また、将来的にはフラッシュメモリーのような高速動作可能でかつ大容量化が期待される記録メディアで記録再生手段３を構成することも考えられる。なお、以下の説明では記録再生手段３がＨＤＤの場合を主として行っている。
【００２２】
さらに、記録再生手段３は記録した第１のデジタル映像音声信号Ｓ１及び第２のデジタル映像音声信号Ｓ２を読み出し、各々再生用映像音声信号Ｓ３として出力する。
【００２３】
再生用映像音声信号変換手段４は、記録再生手段３から再生された再生用映像音声信号Ｓ３を再生表示するためにフォーマット変換して表示用映像音声信号Ｓ４を出力する。この表示用映像音声信号Ｓ４に基づき図示しない所定の表示装置によって映像表示及び音声出力がなされる。
【００２４】
記録メディア５は、具体的にはＤＶＤや外部メモリー、および携帯再生装置などの記録メディア（媒体）を指し、転送制御手段６に接続可能である。
【００２５】
転送制御手段６は、接続された記録メディア５に対し、（記録）フォーマット及び記憶容量等の記録関連情報を要求(リクエスト)して、当該記録関連情報を記録メディア５より取り込む。なお、以下の説明では記録メディア５がＤＶＤの場合を主として行っている。
【００２６】
また、転送制御手段６は記録再生手段３との間で、ダビング対象となる第２のデジタル映像音声信号Ｓ２の記録長情報を送受信する。すなわち、転送制御手段６から記録再生手段３に記録長情報の要求があり、その要求に応じて記録再生手段３から転送制御手段６に上記記録長を伝える。
【００２７】
転送制御手段６は、記録メディア５より得られるフォーマット、及び記憶容量、並びに記録再生手段３より得られる記録長情報を含む記録関連情報に基づき、記録用映像音声信号変換手段２への指定変換内容を決定し、当該指定変換内容を指定する変換指定情報Ｓ６を記録用映像音声信号変換手段２に出力する。すなわち、転送制御手段６は記録用映像音声信号変換手段２に対する変換内容制御手段として機能する。
【００２８】
このような構成において、デジタル映像音声信号取得手段１は、例えば、デジタル放送を受信し、復調等の処理を施し、MPEG-2 TS(Transport Stream)方式のフォーマットの第１のデジタル映像音声信号Ｓ１を取得して記録用映像音声信号変換手段２及び記録再生手段３に出力する。
【００２９】
記録用映像音声信号変換手段２は、変換指定情報Ｓ６に基づき、第１のデジタル映像音声信号Ｓ１を記録メディア５のフォーマット、転送レートに適合すべく変換して第２のデジタル映像音声信号Ｓ２を得、この第２のデジタル映像音声信号Ｓ２を記録再生手段３に出力する。
【００３０】
ＨＤＤに代表される記録メディアから構成される記録再生手段３は、第１のデジタル映像音声信号Ｓ１を記録する際、デジタル放送のフォーマットであるＴＳ（トランスポートストリーム）をそのまま記録する無変換モードで記録する。さらに、記録再生手段３は、ＤＶＤ等のダビング先の記録メディア５に適したフォーマットおよび転送レートに変換された第２のデジタル映像音声信号Ｓ２を併せて記録する（変換記録モード記録）。
【００３１】
なお、ＤＶＤは複数種の転送レートを有しており、当該複数種の転送レートから一の転送レートを記録用映像音声信号変換手段２は採用して、第１のデジタル映像音声信号Ｓ１を第２のデジタル映像音声信号Ｓ２に変換している。
【００３２】
実施の形態１においては、記録メディア５をＤＶＤとしたためフォーマットはＰＳ(Program Stream ：プログラムストリーム)としたが、ＤＶＤに替えて他の記録メディアである外部メモリーや携帯再生装置に置き換えることは可能であり、その場合の第２のデジタル映像音声信号Ｓ２は、置き換えた記録メディアに適したフォーマットおよび転送レートで第１のデジタル映像音声信号Ｓ１が変換された信号となる。
【００３３】
ユーザーから第１のデジタル映像音声信号Ｓ１の再生要求があった場合は、記録再生手段３内に記録した第１のデジタル映像音声信号Ｓ１を読み出して（再生して）得られる再生用映像音声信号Ｓ３に対し、再生用映像音声信号変換手段４において再生表示するためにフォーマット変換を行って表示用映像音声信号Ｓ４出力することにより、図示しない実施の形態１の装置と接続されているＴＶ等の表示装置により表示用映像音声信号Ｓ４に基づく映像表示をさせることができる。
【００３４】
このように、実施の形態１の映像音声信号記録再生装置の記録再生手段３は、所定の番組を記録するに際し、第１のデジタル映像音声信号Ｓ１に加え、第１のデジタル映像音声信号Ｓ１を変換指定情報Ｓ６の指定する指定変換内容で変換して第１のデジタル映像音声信号Ｓ１より情報量が小さい第２のデジタル映像音声信号Ｓ２を併せて記録する。このため、第２のデジタル映像音声信号Ｓ２をＤＶＤ等の記録メディア５に適した信号に設定することにより、記録再生手段３内に記録メディア５に適した第２のデジタル映像音声信号Ｓ２を予め記録させておくことができる。
【００３５】
すなわち、実施の形態１の映像音声信号記録再生装置における転送制御手段６は記録メディア５からの記録関連情報に基づき指定変換内容を決定し、当該指定変換内容を規定した変換指定情報Ｓ６を記録用映像音声信号変換手段２に与えることにより、記録メディア５に適合した第２のデジタル映像音声信号Ｓ２を記録再生手段３内に得ることができる。
【００３６】
しかる後、ユーザーから、記録再生手段３に記録した第１のデジタル映像音声信号Ｓ１の記録メディア５へのダビング要求があった場合は、転送制御手段６の制御下でＨＤＤに代表される記録再生手段３からＤＶＤに代表される記録メディア５へダビング（転送）を行う。
【００３７】
この際、第１のデジタル映像音声信号Ｓ１でなく、第１のデジタル映像音声信号Ｓ１と一対をなして記録再生手段３に記録されている第２のデジタル映像音声信号Ｓ２がダビング対象となる。第２のデジタル映像音声信号Ｓ２は、ダビング先の記録メディア５に適したフォーマットに既に変換されており、改めてフォーマット変換する必要がない。
【００３８】
したがって、記録再生手段３から第２のデジタル映像音声信号Ｓ２を高速に読み出し、ＤＶＤドライブを高速に回転させる等により記録メディア５側も高速書き込みを可能にすれば、第２のデジタル映像音声信号Ｓ２をそのまま記録再生手段３から記録メディア５に転送することができるため、高速ダビングが可能となる。このように、高速ダビングは、ＨＤＤに代表される記録再生手段３に記録したままの状態で行われるため、高速かつ無劣化でダビングが可能となる。
【００３９】
このように記録再生手段３に所定の番組における第１のデジタル映像音声信号Ｓ１及び第２のデジタル映像音声信号Ｓ２とが共に記録された状態で、ユーザーから所定の番組についてＤＶＤ（記録メディア５）へのダビング要求があった場合は、記録再生手段３かＤＶＤに単純に第２のデジタル映像音声信号Ｓ２を転送することにより、ＤＶＤに適合したデジタル映像音声信号の記録再生手段３からＤＶＤへのダビングが高速に行える効果を奏する。
【００４０】
さらに、記録用映像音声信号変換手段２は、変換指定情報Ｓ６に基づき、デジタル映像音声信号Ｓ１，Ｓ２の記録時間長と転送レートの積で求められる容量がダビング先のＤＶＤ等の記録メディア５の容量内となるように、第２のデジタル映像音声信号Ｓ２に変換している。このため、記録再生手段３からダビングされる第２のデジタル映像音声信号Ｓ２は記録メディア５の記憶容量に必ず収まる。
【００４１】
このように、実施の形態１の映像音声信号記録再生装置は、記録メディア５の記憶容量に収まる情報量の第２のデジタル映像音声信号Ｓ２が記録再生手段３に記録しているため、第２のデジタル映像音声信号Ｓ２をそのままダビングを行うことにより、ＤＶＤの容量に適合した高速ダビングが可能となる効果を奏する。
【００４２】
また、実施の形態１の映像音声信号記録再生装置は、再生用映像音声信号変換手段４によって、記録再生手段３に記録した第１のデジタル映像音声信号Ｓ１またはダビング後のＤＶＤ等の記録メディア５より得られる第２のデジタル映像音声信号Ｓ２に基づく映像を所定の表示装置に表示させることができる。
【００４３】
＜実施の形態２＞
図２は、この発明の実施の形態２である映像音声信号記録再生装置の構成を示すブロック図である。同図に示すように、図１で示した実施の形態１の構成に加え、編集情報記憶手段７が追加されている。
【００４４】
編集情報記憶手段７は、記録再生手段３に記録され一対をなす、所定の番組における第１のデジタル映像音声信号Ｓ１及び第２のデジタル映像音声信号Ｓ２を編集対象とし、編集内容（編集ポイント）を指示する編集指示信号ＳＰを受ける。編集指示信号ＳＰとしては、所定の外部入力手段を用いてユーザより入力される信号、内部で自動的に生成する信号等が考えられる。
【００４５】
編集情報記憶手段７は編集指示信号ＳＰに基づき、編集指示信号ＳＰの指示する編集ポイントに該当する第２のデジタル映像音声信号Ｓ２の編集位置情報を検出して記憶する。編集指示信号ＳＰの指示する編集内容としては、例えば、記録した番組における番組本編以外の映像音声信号（本編外映像音声信号）の除去、大きくシーンが変化するポイント等が考えられる。
【００４６】
したがって、記録用映像音声信号変換手段２は、第１のデジタル映像音声信号Ｓ１自体の無変換記録、第２のデジタル映像音声信号Ｓ２の変換記録を行う際、編集指示信号ＳＰが上記した本編外映像音声信号の除去を編集内容とする場合、当該本編外映像音声信号の記録開始時点からの時間計測（本編外映像音声信号の開始時間〜終了時間）を適宜指示する情報を編集位置情報として記憶し、編集指示信号ＳＰがシーンが大きく変化したポイントを指示する場合も同様に、該当する時間帯を示す時間情報等を編集位置情報として記憶する。
【００４７】
このように、編集情報記憶手段７は、対応する一対の第１のデジタル映像音声信号Ｓ１及び第２のデジタル映像音声信号Ｓ２と関連付けて編集位置情報を記憶する。
【００４８】
実施の形態１と同様、デジタル放送を受信する等により、デジタル映像音声信号取得手段１から得られる第１のデジタル映像音声信号Ｓ１を無変換モードで記録再生手段３に記録すると共に、第２のデジタル映像音声信号Ｓ２も変換記録モードで記録再生手段３に記録する。
【００４９】
この際、編集情報記憶手段７は、編集指示信号ＳＰにより編集ポイントとして設定された箇所を示す、第１のデジタル映像音声信号Ｓ１及び第２のデジタル映像音声信号Ｓ２上における時間情報等の編集位置情報を検出して記憶する。
【００５０】
その後、ユーザーから記録再生手段３に記録した所定の番組に対し編集ダビング要求があった場合、第１のデジタル映像音声信号Ｓ１と対となる第２のデジタル映像音声信号Ｓ２を用い、編集情報記憶手段７から編集位置情報を示す編集位置情報信号Ｓ７に基づき、記録再生手段３から記録メディア５に編集後第２のデジタル映像音声信号Ｓ２ｐが編集ダビングされる。
【００５１】
すなわち、記録再生手段３内において当該第１のデジタル映像音声信号Ｓ１と対をなす第２のデジタル映像音声信号Ｓ２に関し、編集位置情報信号Ｓ７に基づき、第２のデジタル映像音声信号Ｓ２全体のうち、当該編集位置情報で指示された必要箇所のみ選択的に抽出された編集後第２のデジタル映像音声信号Ｓ２ｐが記録メディア５に転送される。
【００５２】
すなわち、実施の形態２の映像音声信号記録再生装置は、編集情報記憶手段７を備えることにより、記録再生手段３に記録された第２のデジタル映像音声信号Ｓ２のうち、編集位置情報信号Ｓ７によって指示された編集内容に適合した編集後第２のデジタル映像音声信号Ｓ２ｐを記録メディア５に編集ダビング（転送）することができる効果を奏する。
【００５３】
さらに、編集情報記憶手段７は、ユーザ等により外部より入力される編集指示信号ＳＰに基づき編集位置情報信号Ｓ７を認識することにより、ユーザの要求に適合した編集内容で第２のデジタル映像音声信号２を記録メディア５に編集ダビングすることができる。
【００５４】
なお、編集ダビングされたＤＶＤの編集後第２のデジタル映像音声信号Ｓ２ｐにおいても再生表示は問題なく行えることは勿論である。さらに、変換記録モードで記録再生手段３に記録する第２のデジタル映像音声信号Ｓ２の転送レートが、デジタル映像音声信号の記録長とＤＶＤの容量から算出されるため、編集位置情報信号Ｓ７に基づき第２のデジタル映像音声信号Ｓ２の必要箇所のみ編集された編集後第２のデジタル映像音声信号Ｓ２ｐを、確実にＤＶＤの容量内に収めることができる。
【００５５】
なお、上述した実施の形態１及び実施の形態２において、ダビング対象のデジタル映像音声信号がいわゆるコピーワンスと呼ばれる、コンテンツ権利保護対策として、１回だけ複製可能なコンテンツに該当する場合、ＤＶＤへのダビング時は複製ではなく移動扱いとなり、ダビング終了と同時に該当する第１のデジタル映像音声信号Ｓ１が記録再生手段３から自動的に消去される。
【００５６】
また、実施の形態１及び実施の形態２においては、記録メディア５としてＤＶＤを主に説明した。ＤＶＤにおいては、４．７ＧＢの１層ディスクと８．５ＧＢの２層ディスクとの２種類が存在するが、どちらの種類のディスクであるかは記録再生装置内の転送制御手段６において自動判別する機能を搭載するか、ユーザーによる設定で行うかにより対応が可能である。
【００５７】
また、記録メディア５は主としてＤＶＤとして説明したが、次世代ＤＶＤや外部メモリー、および携帯再生装置であっても同様のダビングが可能であることは勿論である。
【００５８】
＜実施の形態３＞
図３は、この発明の実施の形態３である映像音声信号記録再生装置の構成を示すブロック図である。同図に示すように、実施の形態３の映像音声信号記録再生装置はデジタル映像音声信号取得手段１、記録用映像音声信号変換手段９、再生用映像音声信号変換手段４及び記録再生手段８から構成される。なお、デジタル映像音声信号取得手段１及び再生用映像音声信号変換手段４の動作内容は前述した実施の形態１、実施の形態２と映像音声信号記録再生装置と同様であるため説明は省略する。
【００５９】
また、（映像音声）記録再生手段８は実施の形態１及び実施の形態２の記録再生手段３の同様な無変換モード及び変換記録モードの記録機能を有しており、記録用映像音声信号変換手段９は実施の形態１及び実施の形態２の記録用映像音声信号変換手段２のように転送制御手段６（図３では図示せず）より得られる変換指示情報Ｓ６が指示する指定変換内容に基づき、第１のデジタル映像音声信号Ｓ１を第２のデジタル映像音声信号Ｓ２に変換する構成であっても、予め設定されたフォーマット及び転送レートを指定した変換指示内容に基づき、第１のデジタル映像音声信号Ｓ１を第２のデジタル映像音声信号Ｓ２に変換する構成であっても良い。
【００６０】
このような構成の実施の形態３の映像音声信号記録再生装置は、デジタル映像音声信号取得手段１から出力される第１のデジタル映像音声信号Ｓ１をＨＤＤに代表される記録再生手段８に記録する際、無変換モードで記録しながら、変換記録モードで第２のデジタル映像音声信号Ｓ２を記録する。
【００６１】
この際、無変換モード記録の場合は、変換記録モード記録とは比較にならない記録容量が必要となり、例えば記録再生手段８が２５０ＧＢのＨＤＤ容量の場合は約２０数時間分しか記録できないことになる。
【００６２】
そこで、実施の形態３においては、記録再生手段８は、一定期間経過すると記録容量が大きい無変換モードで記録された第１のデジタル映像音声信号Ｓ１を自動的に消去するようにしている。
【００６３】
ただし、第１のデジタル映像音声信号Ｓ１の消去後においても、変換記録モードで記録された、消去された第１のデジタル映像音声信号Ｓ１と対をなす第２のデジタル映像音声信号Ｓ２を用いて、消去した第１のデジタル映像音声信号Ｓ１のコンテンツを確認することができる。
【００６４】
すなわち、記録再生手段８から第２のデジタル映像音声信号Ｓ２を再生用映像音声信号Ｓ３として読み出して再生し、再生用映像音声信号変換手段４において再生表示するためにフォーマット変換を行って表示用映像音声信号Ｓ４を出力することにより、表示用映像音声信号Ｓ４に基づき、映像音声信号記録再生装置と接続されているＴＶ等の表示装置により表示させることができる。
【００６５】
また、上記した一定期間経過として再生履歴情報も加え、一度も再生せずに一定期間が経過した場合は、記録容量が大きい無変換モード記録の第１のデジタル映像音声信号Ｓ１を記録再生手段８内で消去する機能を持たせることも可能である。
【００６６】
なお、変換記録モードで記録した第２のデジタル映像音声信号Ｓ２は、主目的は無変換モードで記録した第１のデジタル映像音声信号Ｓ１を消去することによるＨＤＤ残量（記録再生手段８の残量）を確保しながら、記録したデジタル映像音声信号の内容確認を行うものであるため、記録用映像音声信号変換手段９において低レートかつ高圧縮で第２のデジタル映像音声信号Ｓ２に変換して記録することも可能である。
【００６７】
また、実施の形態１及び実施の形態２で示したように、記録メディア５を接続可能な転送制御手段６を具備することにより、記録メディア５に適合した転送レートによる変換記録を行うことにより、実施の形態１及び実施の形態２と同様、記録メディア５へのダビング機能を持たせることも可能である。
【００６８】
また、一定期間経過による第１のデジタル映像音声信号Ｓ１の消去後、さらに一定期間が経過した場合、変換記録した第２のデジタル映像音声信号Ｓ２をも消去する機能を備えることも可能である。
【００６９】
図４は、実施の形態３における記録再生手段８による第１のデジタル映像音声信号Ｓ１及び第２のデジタル映像音声信号Ｓ２の自動消去機能の処理手順を示したフローチャートである。以下、同図を参照してその処理手順を説明する。
【００７０】
ステップＳＴ１で録画開始か否かを判断し、開始していない（NO）の場合はステップＳＴ１を繰り返し、ステップＳＴ１で録画開始が確認されると（YES）、ステップＳＴ２へ移行する。以降、ステップＳＴ２で録画終了か否かを判断し、終了していない（NO）場合はステップＳＴ２を繰り返し、ステップＳＴ２で録画終了が確認されると（YES）、ステップＳＴ３へ移行する。
【００７１】
ステップＳＴ３では録画終了後からの経過時間をカウントするカウンター（記録再生手段８内に存在，図３では図示せず）をリセット（カウンター値ＣＴを“０”にする）してステップＳＴ４にてカウンターを起動させ、ステップＳＴ５へ移行する。
【００７２】
ステップＳＴ５において、カウンター値ＣＴが予め設定した一定経過時間Ｔ１を越えているか否か判断し、越えていない（NO）の場合はステップＳＴ５を繰り返し、ステップＳＴ５において（ＣＴ≧Ｔ１）と判断した（YES）場合はステップＳＴ６へ移行する。
【００７３】
ステップＳＴ６において、第１のデジタル映像音声信号Ｓ１を記録再生手段８内から消去する第１の消去処理を行いステップＳＴ７へ移行する。
【００７４】
ステップＳＴ７において、カウンター値ＣＴが経過時間Ｔ１を超え、さらに予め設定した一定経過時間Ｔ２（Ｔ２＞Ｔ１）を越えているか否か判断し、越えていない（NO）の場合は、ステップＳＴ７を繰り返し、ステップＳＴ７において（ＣＴ≧Ｔ２）を判断した（YES）場合はステップＳＴ８へ移行する。ステップＳＴ８において、ステップＳＴ６で既に消去した第１のデジタル映像音声信号Ｓ１と対をなる第２のデジタル映像音声信号Ｓ２を記録再生手段８内から消去する第２の消去処理を行う。
【００７５】
このように、実施の形態３の映像音声信号記録再生装置記録再生手段８は、少なくとも第１のデジタル映像音声信号Ｓ１を所定時間経過後に消去する機能を有するため、情報量が第２のデジタル映像音声信号Ｓ２より大きい第１のデジタル映像音声信号Ｓ１を所定時間経過後に自動的に消去することにより、記録再生手段８の記録容量を効率的に活用することができる。
【００７６】
また、第１のデジタル映像音声信号Ｓ１消去後においても、第２のデジタル映像音声信号Ｓ２は残存しているため、第２のデジタル映像音声信号Ｓ２によって消去した番組内容を確認することができる。
【００７７】
ただし、記録再生手段８が図４で示す消去機能を有し、第２の消去処理（ＳＴ８）の実行後は、第２のデジタル映像音声信号Ｓ２も消去されるため確認することはできない。
【００７８】
また、実施の形態３においても、実施の形態１と同様に転送制御手段６を有し、転送制御手段６及び記録再生手段８が記録メディア５に接続可能に構成すれば（図１参照）、第１のデジタル映像音声信号Ｓ１を無変換記録するのと同時に変換記録することにより、変換記録した第２のデジタル映像音声信号Ｓ２をそのまま記録メディア５に高速ダビングすることができる。
【００７９】
さらに、実施の形態３において、実施の形態２と同様に編集情報記憶手段７を備える構成にすれば（図２参照）、記録再生手段８に記録された第２のデジタル映像音声信号Ｓ２において、編集位置情報信号Ｓ７に基づき編集後第２のデジタル映像音声信号Ｓ２ｐを記録メディア５へ高速ダビングすることができる。
【図面の簡単な説明】
【００８０】
【図１】この発明の実施の形態１である映像音声信号記録再生装置の構成を示すブロック図である。
【図２】この発明の実施の形態２である映像音声信号記録再生装置の構成を示すブロック図である。
【図３】この発明の実施の形態３である映像音声信号記録再生装置の構成を示すブロック図である。
【図４】実施の形態３における記録再生手段による第１及び第２のデジタル映像音声信号の自動消去機能の処理手順を示したフローチャートである。
【符号の説明】
【００８１】
１  デジタル映像音声信号入力手段、２，９  記録用映像音声信号変換手段、３，８  記録再生手段、４  再生用映像音声信号変換手段、５  記録メディア、６  転送制御手段、７  編集情報記憶手段。
【図１】
2008059622.tif 000003
【図２】
2008059622.tif 000004
【図３】
2008059622.tif 000005
【図４】
2008059622.tif 000006